(57)【要約】【課題】  なびききのこを無くし品質を向上させ、ＬＥＤ照明でコストを下げ、作業効率を向上させＬＥＤ光条を使い増産をする。【解決手段】  ＬＥＤ光条を均等に配置しなびききのこを無くす。ＬＥＤ光条でＬＥＤとＬＥＤの取り付け間隔を最低の抵抗値で取り付ける。ＬＥＤ光条を使うことで棚間隔を下げ作業効率を上げる。芽だし棚にＬＥＤ光条を取り付け、初期の光抑制を芽だし棚で行う。【選択図】図５
2011250775.tif 000002
【特許請求の範囲】
【請求項１】
栽培ビン２・３・４・５・６・７・８・９において、なびききのこを無くし平均的に品質を向上さるＬＥＤ光条１８設置の仕方。
【請求項２】
消費電力を大幅に削減させるＬＥＤ１７とＬＥＤ１７の間隔１８の寸法。
【請求項３】
ＬＥＤ光条１６を取り付け栽培棚１０の間隔１９の棚１０
【請求項４】
栽培芽だし棚１２にＬＥＤ光条２１を取り付け、栽培を２〜３割増産する方法。
【発明の詳細な説明】
【発明の詳細な説明】
【技術分野】
【０００１】この発明は、ぶなしめじ栽培で光抑制をＬＥＤで栽培する事においてきのこの品質を向上させ省エネで栽培し増産する技術である。
【背景技術】
【０００２】従来の方法は、８５０ｃｃのビンを約４５ｃｍの角コンテナーに１６本入れたものを２列に３コンテナー並べ１スパンに６コンテナー置いた真ん中に４０ｗの蛍光灯を点灯させて栽培している。【０００３】蛍光灯と同じ位置にＬＥＤを点灯する
【発明が解決しようとする課題】
【０００４】従来の蛍光灯やＬＥＤを蛍光灯と同じように取り付けても、きのこは光に向い成長するので外側のきのこがなびき「斜めのきのこ」ができるのを無くし優良なきのこを作る。
【０００５】ＬＥＤ光条を使うことで、消費電力を大幅に下げ環境に優しいきのこ栽培をする。
従来の中心に取り付けた蛍光灯やＬＥＤ照明では、光の角度から棚の間隔が４００ｍｍから５００ｍｍ必要となり棚が高くなる為、作業が大変になり効率が悪くなるのを改善する。
【０００６】栽培芽だし棚にＬＥＤ光条を取り付けることで、生産効率を上げ同じ施設で２〜３割増産させる。
【課題を解決するための手段】
【０００７】上記の目的を達成する為に、本発明のＬＥＤ光条を、きのこの上に均等に配置し上からＬＥＤの光をあてる。
【０００８】ＬＥＤ光条の、ＬＥＤとＬＥＤの間隔を１００〜１３０ｍｍの間隔で接続する事で銅板銅線の抵抗が（３０ｍｍの差は、銅板の厚み幅の差）最低の値の間隔に成るようＬＥＤを取り付ける。
【０００９】ＬＥＤ光条は厚さ５ｍｍと薄くＬＥＤを均等に配備することで、棚の間隔を３５０ｍｍにし棚の高さを約３００ｍｍから４５０ｍｍ低くする、又栽培芽だし棚にもＬＥＤ光条を取り付ける。
【発明を実施するための形態】
【００１０】発明の実施の形態を実施例に基づき図面１〜５を参照して説明する。
図１は、きのこの栽培びん２．３．４．５．６．７．８．９とコンテナー１を真上から見た図である。図面２は今までの栽培棚の状態を示す栽培棚１０である。ウレタン１３は、菌掻き後の面に加湿が掛からない様に保護の為にかけてある。従来の方法の蛍光灯１４、ＬＥＤの照明１５では、栽培ビン２・３・８・９のきのこは、光に向かい成長し「斜めのきのこ」が出来る。図５は栽培棚１０に取り付けた生育棚ＬＥＤ光条２０が栽培ビン２・３・４・５・６・７・８・９に対し均等に取り付け図４の様に、ＬＥＤ光条１６ＬＥＤ１７が栽培ビン２・３・４・５・６・７・８・９に対しＬＥＤ１７が均等に配置されている。
【００１１】図３は、ＬＥＤ光条１６でＬＥＤ１７とＬＥＤ１７間隔１８は２００ｍｍでも、きのこの生育には問題は無いが、ＬＥＤ１７とＬＥＤ１７をつなぐ銅板の抵抗が大きく多くの電流を消費する。ＬＥＤ１７とＬＥＤ１７の間隔１８を１００ｍｍ〜１３０ｍｍにするこ
2011250775.tif 000003
【００１２】図２の従来の栽培生育棚１１は５００ｍｍである。それに対し図５ＬＥＤ光条２０を取り付けた栽培生育棚１１はＬＥＤ使用の棚の１９  ３５０ｍｍの高さである。平均的棚は６段で作業をしているので、３００ｍｍ〜４５０ｍｍ棚を低くした。又栽培芽だし棚１２は、３００ｍｍ〜３５０ｍｍで蛍光灯などの取り付けができないため、従来は１０〜１２日間光を当てる蛍光灯１４のある棚に移動をしていたが、ＬＥＤ光条１６は厚さ５ｍｍと薄いため芽だし棚１２にＬＥＤ光条１６を取り付けることが可能で、芽だし後ウレタン１３を取り除き３〜５日間栽培芽だしの棚１２に置いて芽だし棚ＬＥＤ光条２１を点灯する事で、栽培生育棚１１への移動が栽培生育棚１１にあるきのこを収穫後に移動が出来る様になり施設の有効利用で増産する。
【発明の効果】
【００１３】ＬＥＤ光条１６を均等に配置することで、２・３・４・５・６・７・８・９に光が均等に当たり抑制の効いた成長となり優良なきのこができた。結果きのこの品質が向上しＢ級ランクがほとんど無くなりＡ級ランクとなり増収に至った。
【００１４】ＬＥＤ光条１６でＬＥＤ１７とＬＥＤ１７の間隔１８を見つけた事で、蛍光灯１本に比べ電気使用量が１Ａの蛍光灯の１１分の１となり１年間で二酸化炭素１８０Ｋｇの削減、今まで省エネと云われた０．４２Ａの蛍光灯と比べても電気使用量が７分の１となり二酸化炭素も１４０Ｋｇ削減し大きくコストダウンし環境に優しいきのこ栽培ができた。
【００１５】ＬＥＤ使用の棚の高さ１１の間隔が１９  ３５０ｍｍに出来、生育棚のＬＥＤ光条２０の取り付けにより低くなった為作業が楽に成り作業効率が向上した。
【００１６】栽培芽だし棚１２にＬＥＤ光条２１を取り付ける事で、栽培生育棚１１への移動を遅らせる事ができ現状の設備で２〜３割の増産ができた。
【図面の簡単な説明】
【図１】本図は、一般的な栽培ビンとコンテナー６個である。
【図２】本図は、現在の栽培棚を横から見た図である。
【図３】本図は、ＬＥＤ光条である。
【図４】本図は、栽培ビンとＬＥＤ光条を上から見た図である。
【図５】本図は、栽培棚に栽培ビンを置きＬＥＤ光条を取り付け横から見た図である。
【符号の説明】  １．                            コンテナー
２．３．４．５．６．７．８．９    栽培ビン
１０．                            栽培棚
１１．                            栽培生育棚
１２．                            栽培芽だし棚
１３．                            ウレタン
１４．                            蛍光灯
１５．                            ＬＥＤの照明器具
１６．                            ＬＥＤ光条
１７．                            ＬＥＤ
１８．                            ＬＥＤとＬＥＤの間隔
１９．                            ＬＥＤ使用の棚の高さ
２０．                            生育棚のＬＥＤ光条
２１．                            芽だし棚のＬＥＤ光条
【図１】
2011250775.tif 000004
【図２】
2011250775.tif 000005
【図３】
2011250775.tif 000006
【図４】
2011250775.tif 000007
【図５】
2011250775.tif 000008